(57)【要約】【課題】ブロア停止時に、エアバーからの吐出または吸引される空気の流れを素早く遮断し、印刷終了時でもシートの詰まりが起こらないようにすることができる印刷機用シータ並びにその運転方法を提供すること。【解決手段】印刷ウェブのカット部からシートスタック部までのシート搬送経路に向けられたエア吹き付け手段または吸引手段を設けている。このエア吹き付け手段または吸引手段に接続されたブロアが備えられている。前記ブロアから前記エア吹き付け手段または吸引手段に至るエア供給経路に経路遮断弁を設け、この遮断弁をブロア停止動作に併せて遮断動作させるコントローラを設けた。コントローラがブロアを停止させると同時にエア供給経路を遮断するので、瞬時にエア供給が停止し、印刷終了時でもシートの詰まりが起こらない。【選択図】図１
2008213983.tif 000002
【特許請求の範囲】
【請求項１】
印刷ウェブのカット部からシートスタック部までのシート搬送経路に向けられたエア吹き付け手段または吸引手段と、このエア吹き付け手段または吸引手段に接続されたブロアとを有すると共に、前記ブロアから前記エア吹き付け手段または吸引手段に至るエア供給経路に経路遮断弁を設け、この遮断弁をブロア停止動作に併せて遮断動作させるコントローラを設けたことを特徴とする印刷機用シータ。
【請求項２】
印刷ウェブのカット部からシートスタック部までのシート搬送経路におかれ、シートの表面若しくは裏面に向けられたエア吹き付け手段または吸引手段と、このエア吹き付け手段または吸引手段に接続されたブロアとを有すると共に、ブロアからエア吹き付け手段または吸引手段のエア供給経路の途中に前記ブロアからの供給経路を遮断して大気開放可能な切換弁を設け、この切換弁を前記ブロアの停止動作に連動して大気開放させるコントローラを設けたことを特徴とする印刷機用シータ。
【請求項３】
前記エア吹き付け手段は低速搬送手段に向けてシート表面側にエアを吹き付ける上部エアバーであることを特徴とする請求項１または２に記載の印刷機用シータ。
【請求項４】
前記エア吹き付け手段は、高速搬送手段から低速搬送手段に乗り移る個所にてシート裏面側にエアを吹き付ける下部エアバーであることを特徴とする請求項１または２に記載の印刷機用シータ。
【請求項５】
前記吸引手段は低速搬送手段の搬送面から吸込む下部吸引ボックスであることを特徴とする請求項１または２の印刷機用シータ。
【請求項６】
カット部からスタック部までのシート搬送経路でシートの表面若しくは裏面に向けられたエアの供給経路をブロアの停止に連動して遮断させることを特徴とする印刷機用シータの運転方法。
【請求項７】
前記エア供給経路の遮断に併せ、ブロア供給経路を大気開放させることを特徴とする請求項６に記載の印刷機用シータの運転方法。
【請求項８】
カット部からスタック部までのシート搬送経路で、ブロアからシートの表面若しくは裏面に吹き付け供給または吸引されるエアをブロアの停止に連動して大気開放させ、シート側へのエア吹き付けまたは吸引を遮断させることを特徴とする印刷機用シータの運転方法。
【請求項９】
前記ブロアの停止はシータ運転の回転速度が設定回転数以下になったときに行わせることを特徴とする請求項６または８に記載の印刷機用シータの運転方法。
【発明の詳細な説明】
【技術分野】
【０００１】
本発明は印刷機用シータおよびその運転方法に係り、特に輪転印刷機から送給されてくる印刷ウェブまたは料紙ロールから繰り出されるウェブを所定長さに裁断し、このカットシートを高速でスタック部に搬送して積み上げることができるシータおよびその運転方法に関する。
【背景技術】
【０００２】
オフセット輪転印刷設備の最終段には、印刷機ユニットから送給されてくる印刷ウェブを所定の長さに断裁して枚葉状態にし、これを減速してスタック部に供給して順次積層するシータ装置がオンラインまたはオフラインで設置されている。このシータ装置は、印刷速度で高速搬送されてくる印刷ウェブを断裁するカット部と、このカット部でのカット長さがばらつかないようにテンションを掛け、また後段の低速部でシートを重ねる際のタイミングをとる等のために印刷速度より若干速い速度で搬送する高速搬送部と、最終段のスタック部への積層のために搬送速度を積層に影響しない速度まで低下させている低速搬送部とを備えている。
【０００３】
この種のシータでは、高速搬送部から低速搬送部へカットシートを受け渡すための減速処理が問題であり、従来から高速搬送部から排出されるカットシートの先端を低速搬送部に接する減速ロール（スケアリングロール）によって受け止めて低速搬送部上に載せるとともに、曲って搬送されてくるカットシートの整列をなし、その後に低速搬送部で搬送する方法が一般的に採用されている。このため、カット部の出側に高速搬送ベルトを配置し、これに縦列して低速搬送ベルトを配置する構造としており、低速搬送ベルトのほぼ中央上部位置に減速ロールを配置する構成となっている。そして低速ベルトの排出先端部にスタック部が直列に配置されており、スタック部はカットシートの四側周辺に沿って配置される規制板（ジョガー）によって囲まれた空間内に昇降台を配置した構造とされ、低速で排出されるカットシートを積み重ねて受け入れるようになっている。したがって、高速ベルトから減速ロールにより減速されて低速搬送ベルト上に移載されたカットシートは低速ベルトから排出されてスタック部に供給され、先行積載されているカットシートの上面に積層されるのである。
【０００４】
ところで、この種の印刷機用シータとして、特許文献１に記載されたエア給排を利用して搬送する構造のものが知られている。これには、例えば、高速搬送ベルトの排出端から低速搬送ベルトにカットシートが乗り移る際、カットシートの先端が垂れることがないようにして上部高速搬送ベルトに密着させるように上昇流エアの吹き付け手段を設けている。また、この特許文献１には、高速搬送されているカットシートを低速搬送ベルトに移行した際に、シートが空気抵抗によって浮き上がってバタつくことを防止することができる下降流エアの吹き付け手段を設けた構造が示されている。更には、低速搬送ベルトの搬送面に沿って吸引エアを搬送面に作用させることによって低速搬送が適正に行われるように配慮されている。
【０００５】
このような印刷機用シータの上部エア吹き付け手段は、ブロアからの高圧エアを供給管によってシート搬送経路の上面部に導き、低速ベルトに対面する高速ベルト側に設けた上部エアバーから構成されている。また、下部エア吹き付け手段は、同じブロアからの高圧エアを前記供給管から分岐させた分岐経路を辿って下部高速搬送ベルトの排出端に導き、ここに置かれて案内板によってカットシート下面に向かう上昇流を形成するようにした下部エアバーから構成されている。下部低速ベルトの吸引手段にはブロアの吸込み口が接続され、吸引負圧を導くようにしている。
【０００６】
このような印刷機用シータでは、上部エアバーや下部エアバーの使用時、シータ運転の回転が上がると自動的にブロアを駆動するように構成され、また、運転の減速停止操作により、回転が下がるとブロアが停止する構成となっている。
【特許文献１】特開２００６−２２５１４３号公報
【発明の開示】
【発明が解決しようとする課題】
【０００７】
上記従来の印刷機用シータでは、印刷終了時には、ブロアの回転が止まるまで時間がかかってしまうため、吸引部辺りでシートが詰まってしまうことがある。すなわち、通常運転の回転速度（５００ｒｐｍ）から減速停止する際、設定回転数以下（１６０〜１８０ｒｐｍ）になるとブロア運転が停止されるが、実際は、１８０ｒｐｍ以下になってもブロアのファンは惰性で数秒間回転し続け、下部エアバー、上部エアバーのボックス内にも残圧が残っているため、設定回転数以下になっても両エアバーから数秒間吹き出しつづけている。
【０００８】
したがって、従来の印刷機用シータでは、低速運転時で上部エアバー、下部エアバーからエアを吹き出させると、シートの走行に悪影響（走行シートの蛇行、はし折れ、曲がり、シート詰まり）を及ぼすため、現在の装置では停止時は、通常、シートが詰まった状態で停止する。オペレータは再度運転するとき、一度、シートを手作業で取り除かなければならないという問題があった。
【０００９】
本発明は、上記従来の問題点に着目し、ブロア停止時に、エアバーからの吐出または吸引される空気の流れを素早く遮断し、印刷終了時でもシートの詰まりが起こらないようにすることができる印刷機用シータ並びにその運転方法を提供することを目的とする。
【課題を解決するための手段】
【００１０】
上記目的を達成するために、本発明に係る印刷機用シータは、印刷ウェブのカット部からシートスタック部までのシート搬送経路に向けられたエア吹き付け手段または吸引手段と、このエア吹き付け手段または吸引手段に接続されたブロアとを有すると共に、前記ブロアから前記エア吹き付け手段または吸引手段に至るエア供給経路に経路遮断弁を設け、この遮断弁をブロア停止動作に併せて遮断動作させるコントローラを設けたことを特徴としている。
【００１１】
また、印刷ウェブのカット部からシートスタック部までのシート搬送経路におかれ、シートの表面若しくは裏面に向けられたエア吹き付け手段または吸引手段と、このエア吹き付け手段または吸引手段に接続されたブロアとを有すると共に、ブロアからエア吹き付け手段または吸引手段のエア供給経路の途中に前記ブロアからの供給経路を遮断して大気開放可能な切換弁を設け、この切換弁を前記ブロアの停止動作に連動して大気開放させるコントローラを設けた構成としてもよい。
【００１２】
これらの場合において、前記エア吹き付け手段は低速搬送手段に向けてシート表面側にエアを吹き付ける上部エアバーとして構成すればよく、あるいは、前記エア吹き付け手段は、高速搬送手段から低速搬送手段に乗り移る個所にてシート裏面側にエアを吹き付ける下部エアバーとして構成してもよい。更に、前記吸引手段は低速搬送手段の搬送面から吸込む下部吸引ボックスとして構成することができる。
【００１３】
また、本発明に係る印刷機用シータの運転方法は、カット部からスタック部までのシート搬送経路でシートの表面若しくは裏面に向けられたエアの供給経路をブロアの停止に連動して遮断させることを特徴とする。この場合、前記エア供給経路の遮断に併せ、ブロア供給経路を大気開放させるようにすればよい。
【００１４】
本発明に係る印刷機用シータの運転方法は、カット部からスタック部までのシート搬送経路で、ブロアからシートの表面若しくは裏面に吹き付け供給または吸引されるエアをブロアの停止に連動して大気開放させ、シート側へのエア吹き付けまたは吸引を遮断させるようにしてもよい。
前記ブロアの停止はシータ運転の回転速度が設定回転数以下になったときに行わせればよい。
【発明の効果】
【００１５】
上記構成を採用したことにより、本発明では、ブロアの運転の停止とともに、シータの搬送経路に設けられているエア吹き出し手段や吸引手段へのエア通路が遮断され、エア作用部分が大気圧となって無用なエアの吐出や吸引作用がなくなることから、シータ停止時にシートが詰まる状態が無くなり、オペレータは再度運転するときにシートを手作業で取り除くといった手間が無くなる利点が得られる。
【発明を実施するための最良の形態】
【００１６】
以下に、本発明に係る印刷機用シータおよびその運転方法について、具体的実施形態を、図面を参照して、詳細に説明する。
図１は、本発明のシータに係る第１の実施形態における搬送部の構成を示す図である。このシータは印刷機から送られてくる印刷ウェブを枚葉に切断するカット部１０が設けられている。そして、カット部１０の出側には、下部高速ベルト１２と下部低速ベルト１４が縦列しており、これらの上面を上部高速ベルト１６が覆うように配置されている。下部低速ベルト１４の排出端部にはカットシートを積層するスタック部１８が設けられている。
【００１７】
ウェブから枚葉にカットしたシートを適正にスタックするために、カット部でカットされたシートを、図示しない印刷機の印刷速度よりも若干早い速度で駆動されている上下高速ベルト１２，１６に挟まれて搬送した後、シートを下部低速ベルト１４に一枚ずつ引き渡しつつ、下部低速ベルト１４上の先行して送られているシートに一部を重ねるように送り込む。下部低速ベルト１４では、カットシートがいわゆる瓦積み状態で低速移動され、スタック部１８に一枚ずつ落とし込む。
【００１８】
カットシートは下部高速ベルト１２、上部高速ベルト１６、下部低速ベルト１４の順番で引き渡されて搬送されるが、高速搬送されているカットシートを下部低速ベルト１４に引き渡すためにスナッバ２０が用いられている。これは、回転スリーブの外周の一部にブラシ２０ｂを植設したもので、シートの搬送速度に合わせて、各シートの後端を叩いて下部低速ベルト１４へ押圧する。また、同時にシートの前端をスケアリングロール２１により受け止めてシートを減速させるようにしている。このような動作により、シートを下部低速ベルト１４へ引き渡すと共に搬送されるシートに制動をかけることができる。
【００１９】
一方、スナッバ２０によりシートを引き渡される下部低速ベルト１４側には、吸引手段２２が設けられている。前記吸引手段２２は、下部低速ベルト１４におけるシート搬送面の下面に備えられ、前記スナッバ２０によってシートが押圧される位置に開口された隙間から吸い込むようにした吸引口を有する吸引ボックスから構成している。したがって、この吸引手段２２は、スナッバ２０によって下部低速ベルト１４に押圧されたシートの後端を吸引し、シートに制動をかける。
【００２０】
また、この実施形態に係る印刷機用シータには、下部高速ベルト１２のシート排出部に、排出されるシートの下方から前記シートへ向けてエアを吐出して上昇流を発生させる下部エアバー２４が備えられている。当該下部エアバー２４に気体案内板２４ａを設け、その先端を前記下部高速ベルト１２側へ屈曲させ、シートの搬送方向と反対側にエアを送り込んで、スナッバ２０によって叩かれた先行シートの上を、後続シートがスムーズに入るように先行シートと後続シートとの間にエアを介在させるようにしている。
【００２１】
更に、当該シータにおける上部高速ベルト１６が設けられているが、この上部高速ベルト１６は下部低速ベルト１４のほぼ全長を覆うように延長されている。このような上部高速ベルト１６にはエアの下降流を発生させるための上部エアバー２６が設けられている。下降流発生手段としての上部エアバー２６は、前記スナッバ２０の下流に設けられて下部低速ベルト１４の上面に対面配置され、上部高速ベルト１６の内側から下部低速ベルト１４へ向かってエアを吹き付ける。これにより、シート走行時に、シートの先端が折れることを防止し、さらに、シートがスナッバ２０で叩かれた後、エアをシート上に吹きかけ、後続シートを先行シートの上に受け渡し、同時に前記下部低速ベルト１４によって搬送されるシートのばたつきを抑えるものである。
【００２２】
このような構成を有する印刷機用シータにおいて、上述した下部エアバー２４、上部エアバー２６にエアを供給するためのブロア２８が装備されている。当該ブロア２８の運転により、送られるエアは下部エアバー２４から案内２４ａを介してシート下面に吹き付けられ、また、ブローボックス（空圧安定用タンク）３０を介して上部エアバー２６に供給され、シート上面にエアが吹き付けられる。ブロア２８からエア吹き付け手段としての下部エアバー２４、上部エアバー２６に至るエア供給経路３２は、途中の分岐部３４で分岐して各エアバー２４、２６に至るが、分岐部３４の手前にて経路遮断可能な方向制御弁３６を介在させている。この方向制御弁３６は、通常運転の際は、ブロア２８から供給されるエアを各エアバー２４，２６に連続供給させるが、減速停止や非常停止に際して、ブロア２８から供給されるエアがエアバー２４、２６に供給されないように遮断するとともに、遮断後のブロア２８から吐出されるエアを大気に開放させるように構成されている。
【００２３】
これは例えば、図２に示すように、ブロア２８の出口から分岐部３４までのエア供給経路３２に方向制御弁３６を三方切換弁により構成し、通常は分岐部３４側にエアを供給するが、停止時などにはブロア２８からのエアを大気に逃がすようにして、エア供給経路３２を遮断するように構成している。
【００２４】
ところで、このシータには、上記ブロア２８や方向制御弁３６の作動制御をなすコントローラ３８が備えられている。シータは停止操作されてもいきなり停止させることができない。停止操作を行っても搬送経路上にたくさんのシートが存在するからである。通常運転の回転速度（５００ｒｐｍ）は印刷速度に相応しているが、これから減速停止させる場合、１６０〜１８０ｒｐｍなどの設定回転速度以下になったときにブロア２８の運転を停止させる。図１に示しているように、コントローラ３８は、シータの回転数信号４０をカット部１０のフライナイフの回転信号を検出して入力し、この回転数が設定回転数以下になったときを検出し、ブロア２８に対して運転停止をなすための操作信号４２を出力するようになっている。なお、ブロア２８の駆動、停止はスケアリングロール２１が下部低速ベルトへの着時と脱時に連動しているため、実際上はこのスケアリングロール２１の脱着信号に対応させて行わせるようにしてもよい。
【００２５】
また、ブロア２８が停止されても内蔵ファンは慣性により回転し続ける。この回転は上述したエア吹き出し手段からのエア吐出を招いてしまう。そこで、コントローラ３８はブロア停止操作に併せて上述した方向制御弁３６へエア供給経路３２の遮断操作信号を出力させるようにしている。これによって、方向制御弁３６は図２の（１）の状態から（２）の状態、すなわちエアの供給路を遮断し、ファン吐出空気を大気に放出させる方向に切り換えられ、シータ搬送経路上のカットシートへ吹き出し空気が作用することがなくなる。
【００２６】
このような実施形態によれば、ブロア２８の停止の時には、内蔵ファンが慣性力で回転していても、上下エアバー２４，２６からのエア吐出が瞬時に停止され、ブロア２８の吐出口は大気に開放される。これにより、印刷終了時のシートの詰まりが殆ど無くなり、オペレータの負担が軽減され、クレームも無くなる。
【００２７】
ところで、上記実施形態では、下部エアバー２４と上部エアバー２６に対するブロア２８の停止時に、瞬時にエア供給をカットする例について説明したが、下部低速ベルト１６の入口下部内に設けられた吸引手段２２についても同様に構成することができる。すなわち、この吸引手段２２による吸引作用は前記ブロア２８とは別の独立した吸引ブロア（図示せず）等によって行われるが、この吸引ブロアの停止と同時に吸引の停止を行わなければ、エア吹出の場合と同様の問題を引き起こす。このため、吸引手段２２は吸引ブロアの停止と同時に大気開放通路に接続されるように、吸引手段２２と吸引ブロアの間のエア吸引経路に置かれた方向制御弁（図示せず）によって吸引手段２２を大気開放させるようにすればよい。この方向制御弁も前記コントローラ３８によって制御させる。このとき、吸引手段２２を単独で制御するようにしてもよいが、前述した下部エアバー２４と上部エアバー２６へのエア供給経路におかれた方向制御弁３６に吸引手段２２に通じるエア吸引経路を組み込み、ブロア２８並びに吸引ブロアの停止と同時にエアバー２４、２６の経路遮断と、吸引手段２２の大気開放を行わせるようにバルブを構成してもよい。
【００２８】
このように構成した実施形態に係る印刷機用シータでは、ブロア停止の時にはシータの搬送経路上での吸引・吐出が瞬間的に切れる。設定回転数以下になったら急速に上部、下部エアバー内の残圧を取り除くため、印刷終了時のシートの詰まりが無くなり、オペレータの負担が軽減される。
【産業上の利用可能性】
【００２９】
本発明は印刷機設備に利用される。
【図面の簡単な説明】
【００３０】
【図１】実施形態に係るシータの概略構成図である。
【図２】同シータの要部構成を示す説明図である。
【符号の説明】
【００３１】
１０………カット部、１２………下部高速ベルト、１４………下部低速ベルト、１６………上部高速ベルト、１８………スタック部、２０………スナッバ、２０ｂ………ブラシ、２１………スケアリングロール、２２………吸引手段、２４………下部エアバー、２４ａ………気体案内板、２６………上部エアバー、２８………ブロア、３０………ブローボックス、３２………エア供給経路、３４………分岐部、３６………方向制御弁、３８………コントローラ
【図１】
2008213983.tif 000003
【図２】
2008213983.tif 000004